(57)【要約】      （修正有）【課題】小便または大便によって水量を変化させ水消費量を減らし、駆動モーターの誤動作による漏水現象を防止し、自動水流し動作に対する信頼度を一層向上することができる温水洗浄機の自動水流し装置を提供する。【解決手段】水流しスイッチ１と、制御部２と、駆動モーター３と、前記駆動モーター３の軸上に連結されその外周面に磁石５が埋め込まれた回転体４と、磁石５を感知するホールセンサ６と、タイマー７と、水流しスイッチ１入力時ホールセンサ６により磁石５が感知されるように駆動モーター３を駆動させて初期位置にセッティングし小便または大便によって駆動モーター３の作動時間を可変させる制御部２で構成、水流し動作時駆動モーター３の初期動作位置が一致し小便または大便によって水量が変化するので水消費量を減らし、駆動モーター３の誤動作による漏水現象を防止して自動水流し動作の信頼度を一層向上させる装置を提供する。【選択図】図１
2007297902.tif 000002
【特許請求の範囲】
【請求項１】
水流しスイッチと；
制御部の制御によって駆動する水流し駆動モーターと；
前記駆動モーターの軸上に連結されてその外周面上に磁石が埋め込まれるように形成されている回転体と；
前記回転体の外廓に近接されるように形成されて磁石を感知するホールセンサと；
リアルタイム計数するタイマーと；
水流しスイッチ入力時ホールセンサにより磁石が感知されるように駆動モーターを駆動させて初期位置にセッティングして、以後小便または大便によって駆動モーターの作動時間を可変させて水流し動作が行われるようにする制御部と；を含んで構成されることを特徴とする温水洗浄機の自動水流し装置。
【請求項２】
水流しスイッチが入力される第１段階と；
水流しスイッチ入力時制御部が駆動モーターを回転させるが、回転体の外廓に形成されている磁石がホールセンサにより感知された時駆動モーターを停止させて初期位置にセッティングする第２段階と；
初期位置セッティング以後水流しスイッチ入力状態を判断する第３段階と；
前記判断結果小便ならば制御部は駆動モーターをＴ秒間駆動させた後停止させる第４段階と；
前記判断結果大便ならば制御部は駆動モーターをＦ秒間駆動させた後停止させる第５段階；に進行することを特徴とする温水洗浄機の自動水流し制御方法。
【請求項３】
前記Ｔ秒はＦ秒より小さく設定されることを特徴とする請求項２に記載の温水洗浄機の自動水流し制御方法。
【請求項４】
新しい水流し動作時初期セッティング動作が省略されるように、前記Ｔ秒またはＦ秒間駆動モーターの動作が行われた後磁石がホールセンサに感知される時までさらに駆動モーターを駆動させる段階をさらに含むことを特徴とする請求項２に記載の温水洗浄機の自動水流し制御方法。
【発明の詳細な説明】
【技術分野】
【０００１】
本発明は温水洗浄機の自動水流し装置とその制御方法に係り、さらに詳細には水流し動作時駆動モーターの初期動作位置が一致して、小便または大便によって水流し量が差別化されるように動作するので水消費量を減らすことができることはもちろん駆動モーターの誤動作による漏水現象を防止して、自動水流し動作に対する信頼度を一層さらに向上させる温水洗浄機の自動水流し装置とその制御方法に関する。
【背景技術】
【０００２】
一般的に温水洗浄機の自動水流し装置はユーザーが用便を足した後水流しスイッチ操作により自動で便器の水が流されるようにする装置を言う。
【０００３】
このような従来の自動水流し装置は水流し駆動モーターの駆動により便器に供給される水の量が調節されるように構成される。すなわち、水流し駆動モーターが動作する間温水洗浄機の水流し動作が行われることである。
【０００４】
そして、従来の自動水流し装置は水流し量を調整するために２個のリードスイッチを用いており、前記リードスイッチの接点によって駆動モーターの動作が制御されるように構成される。
【０００５】
しかし従来技術は２個のリードスイッチを利用して駆動モーターの駆動が制御されることであるためストッパー役割をする磁石により接点が損傷されて駆動モーターの正確な初期位置セッティングが難しかったし、大便または小便によって流される水の量を正確に調節することができなくなる問題点が発生している。
【発明の開示】
【発明が解決しようとする課題】
【０００６】
したがって、前記問題点を解決するための本発明は水流し動作時駆動モーターの初期動作位置が一致して、小便または大便によって水流し量が差別化されるようにして水消費量を減らすことはもちろん、駆動モーターの誤動作による漏水現象を防止して、自動水流し動作に対する信頼度を一層さらに向上させることができるようにした温水洗浄機の自動水流し装置とその制御方法を提供することを目的にする。
【課題を解決するための手段】
【０００７】
前記目的達成のための本発明は水流しスイッチ入力時ホールセンサにより磁石が感知されるように駆動モーターを駆動させて初期位置にセッティングして、以後小便または大便によって駆動モーターの作動時間を可変させて水流し動作が行われるようにする制御部を含む自動水流し装置を構成することを特徴とする。
【発明の効果】
【０００８】
以上で説明したように本発明は駆動モーターを駆動させて初期位置にセッティングさせた状態で小便または大便によって駆動モーターの作動時間を可変させて水流し動作が行われるようにしたことであって、これを通じて水流し動作時駆動モーターの初期動作位置が一致して、小便または大便によって水流し量が差別化されるように動作するので水消費量を減らすことができることはもちろん駆動モーターの誤動作による漏水現象を防止して、自動水流し動作に対する信頼度を一層さらに向上させる効果を得ることができるものである。
【発明を実施するための最良の形態】
【０００９】
以下、添付した図面図１ないし図３を参照して本発明の望ましい実施形態を説明すると次のようである。
【００１０】
添付された図面によれば、本発明の実施形態による温水洗浄機の自動水流し装置は水流しスイッチ１；制御部２の制御によって駆動する水流し駆動モーター３；前記駆動モーター３の軸上に連結されてその外周面上に磁石５が埋め込まれるように形成されている回転体４；前記回転体４の外廓に近接されるように形成されて磁石５を感知するホールセンサ６；リアルタイム計数するタイマー７；水流しスイッチ１入力時ホールセンサ６により磁石が感知されるように駆動モーター３を駆動させて初期位置にセッティングして、以後小便または大便によって駆動モーター３の作動時間を可変させて水流し動作が行われるようにする制御部２；を含む。
【００１１】
そして、前記自動水流し装置の制御方法は、水流しスイッチ１が入力される第１段階と；水流しスイッチ１入力時制御部２が駆動モーター３を回転させるが、回転体４の外廓に形成されている磁石５がホールセンサ６により感知された時駆動モーター３を停止させて初期位置にセッティングする第２段階と；初期位置セッティング以後水流しスイッチ１入力状態を判断する第３段階と；前記判断結果小便ならば制御部２は駆動モーター３をＴ秒間駆動させた後停止させる第４段階と；前記判断結果大便ならば制御部２は駆動モーター３をＦ秒間駆動させた後停止させる第５段階と；を含んだことである。
【００１２】
そして、前記Ｔ秒はＦ秒より小さく設定されることを特徴とする。
このように構成された本発明の動作を説明すると次のようである。
【００１３】
まず、ユーザーが便座に着座して用便を足した後水流しスイッチ１を入力すると、制御部２は水流しスイッチ１が入力されたことを確認した後駆動モーター３を初期位置にセッティングするために駆動モーター３を一方向に駆動させる。
【００１４】
前記駆動モーター３が回転するようになれば、その駆動モーター３の軸に形成されている回転体４が動作するようになって、前記回転体４の外廓に形成されている磁石５がホールセンサ６に近接するようになる。
【００１５】
前記ホールセンサ６は磁石５が感知された時所定の感知信号を制御部２に出力して、前記制御部２はホールセンサ６から出力された感知信号により駆動モーター３を停止させて初期位置にセッティングする。
【００１６】
このように駆動初期に駆動モーター３を初期位置にセッティングすることは駆動モーター３の初期駆動位置を一致させて水流し動作時便器に供給される水の量を精密に制御するためである。
【００１７】
前記説明のように駆動モーター３が初期位置にセッティングされれば、前記制御部２はユーザーが水流しスイッチ１を操作して入力した用便が小便なのかそれとも大便なのかを判断する。
【００１８】
前記水流しスイッチ１は小便用と大便用に区分していてユーザーが入力するスイッチ種類によって小便または大便を制御部２が認識することができる。
【００１９】
前記判断結果小便ならば、前記制御部２は駆動モーター３をタイマー７で計数されるＴ秒間駆動させて水流しが行われるようにして、大便ならば前記制御部２は駆動モーター３をタイマー７で計数されるＦ秒間駆動させて水流しが行われるようにする。この時、前記Ｔ秒はＦ秒より小さくなるようにすることが望ましい。
【００２０】
すなわち、制御部２は小便である時Ｔ秒であって短時間の間水流しが行われるようにして少量の水が流されるようにすることであって、大便である時にはＦ秒であって長時間の間水流しが行われるようにして多量の水が流されるようにすることである。
このような制御により小便または大便によって正確な量の水を排出させることができるようになることである。
【００２１】
そして、Ｔ秒またはＦ秒間駆動モーター３の動作が行われた後再び磁石５がホールセンサ６に感知される時までさらに駆動モーター３を駆動させて初期位置にセッティングさせた状態で駆動モーター３を停止させるようになれば、以後新しい水流し動作時初期セッティング動作を省略することができるようになるのでさらに速かに水流し動作を実施することができるようになる。
【図面の簡単な説明】
【００２２】
【図１】本発明の温水洗浄機の自動水流し装置を見せた図面。
【図２】本発明に適用された回転体とホールセンサの作動状態を見せた図面。
【図３】本発明の制御過程を見せたフローチャート。
【符号の説明】
【００２３】
１：水流しスイッチ
２：制御部
３：駆動モーター
４：回転体
５：磁石
６：ホールセンサ
７：タイマー
【図１】
2007297902.tif 000003
【図２】
2007297902.tif 000004
【図３】
2007297902.tif 000005